【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
電子信号を伝達可能な第１信号線及び第２信号線と、
前記第１信号線が挿通され、軟磁性材料からなる第１磁性部材と、
前記第２信号線が挿通され、軟磁性材料からなる第２磁性部材と、
前記第１磁性部材及び前記第２磁性部材を保持する保持手段と、を備え、
前記保持手段は、
前記第１磁性部材に押圧されて弾性変形することで前記第１磁性部材に係合可能な弾性係合部を含み、前記第１磁性部材を保持する第１保持部と、
前記第１保持部に前記第１磁性部材が保持された状態で前記第２磁性部材を取付可能であり、前記第１磁性部材を前記第１保持部へ取付ける際の前記第１磁性部材の移動方向から視て、前記弾性係合部とは異なる位置で前記第１磁性部材と重なる位置に前記第２磁性部材を保持する第２保持部と、
前記弾性係合部に配置され、前記第２保持部に前記第２磁性部材が保持された状態で、前記第２磁性部材の移動を規制可能な規制部と、を有する、
ことを特徴とする電子機器の配線構造。
【請求項２】
前記第１保持部は、第１方向へ向かって開放された形状を有し、前記第１方向から前記第１磁性部材を取付可能であり、
前記第２保持部は、前記第１方向に交差する第２方向へ向かって開放された形状を有し、前記第２方向から前記第２磁性部材を取付可能であり、前記第１方向から視て、前記弾性係合部に対して前記第２方向とは反対側で前記第１磁性部材と重なる位置に前記第２磁性部材を保持し、
前記規制部は、前記弾性係合部の前記第２方向とは反対側の端部に配置され、前記第２保持部に保持された前記第２磁性部材が前記第２方向へ向かって移動することを規制する、
ことを特徴とする、請求項１に記載の電子機器の配線構造。
【請求項３】
前記弾性係合部は、前記第１方向から視て前記第２方向に交差する第３方向の一方側と他方側とに配置された２つの弾性部材からなり、前記第１磁性部材が前記第１方向へ向かって移動する場合に前記２つの弾性部材が前記第３方向における一方及び他方に弾性変形することで前記第１磁性部材に係合可能であり、前記２つの弾性部材の各々は、前記第２方向の外力に対する曲げ剛性が前記第３方向の外力に対する曲げ剛性に比べて大きい、
ことを特徴とする、請求項２に記載の電子機器の配線構造。
【請求項４】
前記２つの弾性部材の各々は、前記第１方向に沿って延びる腕部と、前記腕部に支持され、前記第１方向から視て前記第１保持部に保持された状態の前記第１磁性部材に重なる爪部とを有し、
前記腕部は、前記第１方向に垂直な平面において、前記第２方向における長さが前記第３方向における長さに比べて大きい断面形状を有する、
ことを特徴とする、請求項３に記載の電子機器の配線構造。
【請求項５】
前記弾性係合部は、前記第２磁性部材が、前記第２保持部に保持された状態の位置に向かって前記第２方向に移動する際に前記第２磁性部材に当接可能な当接面を有し、
前記第２磁性部材を前記第２保持部に取付ける際には、前記第２磁性部材に前記当接面が押圧されて前記弾性係合部が弾性変形することで前記規制部が前記第２磁性部材の移動軌跡から退避し、前記第２磁性部材が前記第２保持部に保持された状態では、前記弾性係合部の弾性により、前記規制部が前記第２方向から視て前記第２磁性部材に重なる位置に位置決めされる、
ことを特徴とする、請求項２乃至４のいずれか１項に記載の電子機器の配線構造。
【請求項６】
前記第１信号線及び前記第２信号線の各々が平板状であり、厚さ方向に互いに対向しており、
前記第１磁性部材及び前記第２磁性部材は、前記厚さ方向における両側に、前記厚さ方向に対して略垂直に広がる平面部を有する平板状であり、前記保持手段により、前記厚さ方向に重なった状態で保持される、
ことを特徴とする、請求項１乃至５のいずれか１項に記載の電子機器の配線構造。
【請求項７】
前記保持手段は、前記弾性係合部に支持され、前記第１磁性部材及び前記第２磁性部材が前記第１保持部及び前記第２保持部に保持された状態で、前記第１磁性部材の平面部及び前記第２磁性部材の平面部によって挟まれる平板状の中間部材を有する、
ことを特徴とする、請求項６に記載の電子機器の配線構造。
【請求項８】
前記第１信号線及び前記第２信号線が、前記保持手段に保持された前記第１磁性部材及び前記第２磁性部材により、前記厚さ方向から視て重なった状態で互いに略平行に配線される、
ことを特徴とする、請求項６又は７に記載の電子機器の配線構造。
【請求項９】
前記第１信号線及び前記第２信号線の各々が、フレキシブルフラットケーブル又はフレキシブルプリント基板である、
ことを特徴とする、請求項１乃至８のいずれか１項に記載の電子機器の配線構造。
【請求項１０】
電子信号を伝達可能な平板状の第１信号線及び平板状の第２信号線と、
前記第１信号線が挿通される中空部を有し、軟磁性材料からなる平板状の第１磁性部材と、
前記第２信号線が挿通される中空部を有し、軟磁性材料からなる平板状の第２磁性部材と、
前記第１信号線及び前記第２信号線が挿通された状態の前記第１磁性部材及び前記第２磁性部材を保持する保持手段と、を備え、
前記保持手段は、
前記第１磁性部材を保持する第１保持部と、
前記第２磁性部材を保持する第２保持部と、を有し、
前記第１磁性部材が前記第１保持部に保持され、かつ、前記第２磁性部材が前記第２保持部に保持された状態において、前記第１信号線の厚さ方向から視て前記第１磁性部材と前記第２磁性部材は重なるように保持され、
前記第１保持部は、前記第１磁性部材が前記第１保持部に保持された状態における前記第１磁性部材の厚さ方向、及び前記第１磁性部材の高さ方向に直交する幅方向において、前記第１磁性部材の一端を保持する前記幅方向に弾性変形可能な第１弾性係合部と、前記第１磁性部材の他端を保持する前記幅方向に弾性変形可能な第２弾性係合部と、を有し、
前記第２保持部は、前記第２磁性部材が前記第２保持部に保持された状態における前記第２磁性部材の厚さ方向の移動を規制する厚さ方向規制部と、前記第２磁性部材が前記第２保持部に保持された状態における前記第２磁性部材の厚さ方向及び前記第２磁性部材の高さ方向と直交する幅方向の移動を規制する幅方向規制部と、を備え、
前記第１弾性係合部及び前記第２弾性係合部の各々は、前記第２保持部に前記第２磁性部材が保持された状態で、前記第２磁性部材の高さ方向の移動を規制可能な規制部を有する、
ことを特徴とする電子機器の配線構造。
【請求項１１】
前記第２磁性部材は、前記厚さ方向規制部と前記幅方向規制部により定義される溝部に配置されることを特徴とする請求項１０に記載の電子機器の配線構造。
【請求項１２】
シートに画像を形成可能な画像形成手段と、
請求項１乃至１１のいずれか１項に記載の電子機器の配線構造と、を備える、
ことを特徴とする画像形成装置。
【請求項１３】
原稿の第１面から画像情報を読取る第１読取手段と、原稿の前記第１面とは反対の第２面から画像情報を読取る第２読取手段と、を有する画像読取部と、
前記画像形成手段を収容する装置本体と、
前記装置本体に配置され、前記画像形成手段を制御して前記第１読取手段及び前記第２読取手段によって読取られた画像情報に基づく画像をシートに形成させる制御基板と、を備え、
前記第１信号線及び前記第２信号線は、それぞれ前記画像読取部と前記制御基板とを接続し、前記第１読取手段によって読取られた画像情報が前記第１信号線を介して前記制御基板に伝達され、前記第２読取手段によって読取られた画像情報が前記第２信号線を介して前記制御基板に伝達される、
ことを特徴とする請求項１２に記載の画像形成装置。
【手続補正２】
【補正対象書類名】明細書
【補正対象項目名】０００７
【補正方法】変更
【補正の内容】
【０００７】
本発明の一態様に係る電子機器の配線構造は、電子信号を伝達可能な第１信号線及び第２信号線と、前記第１信号線が挿通され、軟磁性材料からなる第１磁性部材と、前記第２信号線が挿通され、軟磁性材料からなる第２磁性部材と、前記第１磁性部材及び前記第２磁性部材を保持する保持手段と、を備え、前記保持手段は、前記第１磁性部材に押圧されて弾性変形することで前記第１磁性部材に係合可能な弾性係合部を含み、前記第１磁性部材を保持する第１保持部と、前記第１保持部に前記第１磁性部材が保持された状態で前記第２磁性部材を取付可能であり、前記第１磁性部材を前記第１保持部へ取付ける際の前記第１磁性部材の移動方向から視て、前記弾性係合部とは異なる位置で前記第１磁性部材と重なる位置に前記第２磁性部材を保持する第２保持部と、前記弾性係合部に配置され、前記第２保持部に前記第２磁性部材が保持された状態で、前記第２磁性部材の移動を規制可能な規制部と、を有する、ことを特徴とする。
【手続補正３】
【補正対象書類名】明細書
【補正対象項目名】０００８
【補正方法】変更
【補正の内容】
【０００８】
また、本発明の他の態様に係る電子機器の配線構造は、電子信号を伝達可能な平板状の第１信号線及び平板状の第２信号線と、前記第１信号線が挿通される中空部を有し、軟磁性材料からなる平板状の第１磁性部材と、前記第２信号線が挿通される中空部を有し、軟磁性材料からなる平板状の第２磁性部材と、前記第１信号線及び前記第２信号線が挿通された状態の前記第１磁性部材及び前記第２磁性部材を保持する保持手段と、を備え、前記保持手段は、前記第１磁性部材を保持する第１保持部と、前記第２磁性部材を保持する第２保持部と、を有し、前記第１磁性部材が前記第１保持部に保持され、かつ、前記第２磁性部材が前記第２保持部に保持された状態において、前記第１信号線の厚さ方向から視て前記第１磁性部材と前記第２磁性部材は重なるように保持され、前記第１保持部は、前記第１磁性部材が前記第１保持部に保持された状態における前記第１磁性部材の厚さ方向、及び前記第１磁性部材の高さ方向に直交する幅方向において、前記第１磁性部材の一端を保持する前記幅方向に弾性変形可能な第１弾性係合部と、前記第１磁性部材の他端を保持する前記幅方向に弾性変形可能な第２弾性係合部と、を有し、前記第２保持部は、前記第２磁性部材が前記第２保持部に保持された状態における前記第２磁性部材の厚さ方向の移動を規制する厚さ方向規制部と、前記第２磁性部材が前記第２保持部に保持された状態における前記第２磁性部材の厚さ方向及び前記第２磁性部材の高さ方向と直交する幅方向の移動を規制する幅方向規制部と、を備え、前記第１弾性係合部及び前記第２弾性係合部の各々は、前記第２保持部に前記第２磁性部材が保持された状態で、前記第２磁性部材の高さ方向の移動を規制可能な規制部を有する、ことを特徴とする。